(57)【要約】【課題】電気を使用せず安価であり、しかも機械的刺激に加え、治癒効果の高い波動学的刺激も加えてマッサージ効果を高めたテラヘルツ足裏マッサージ器を提供する。【解決手段】足裏をマッサージする球体２と、当該球体２を載置する台座３とからなり、前記球体２は金属シリコンを含有し、前記台座３は前記球体２を移動可能に載置するための球体受け部３２を設けると共に、当該球体受け部３２の底面に複数の凸部３１を形成した。【選択図】図１
0003178743.tif 000002
【実用新案登録請求の範囲】
【請求項１】
足裏をマッサージする球体と、当該球体を載置する台座とからなり、前記球体は金属シリコンを含有し、前記台座は前記球体を移動可能に載置するための球体受け部を設けると共に、当該球体受け部の底面に複数の凸部を形成したことを特徴とするテラヘルツ足裏マッサージ器。
【考案の詳細な説明】
【技術分野】
【０００１】
本考案は足裏マッサージ器に係り、特に足裏に当接する球体に金属シリコンを含有させ且つ当該球体を上下に微細震動させてマッサージ効果を向上させたテラヘルツ足裏マッサージ器に関する。
【背景技術】
【０００２】
下記の特許文献１に開示されているようないわゆる青竹踏み器と称する足裏マッサージ器が市販されていると共に、電動で回転する部材を足の裏に当接させ、疲れや凝りをとる電動足裏マッサージ器なども市販されている。
【先行技術文献】
【特許文献】
【０００３】
【特許文献１】特開２００２−３４５９２２号公報
【考案の概要】
【考案が解決しようとする課題】
【０００４】
上記した電動足裏マッサージ器は部品点数が多く高価である。また、青竹踏み器は使用者の努力を強いる。さらに、これら従来の足裏マッサージ器は、何れも生体に及ぼすのは機械的な刺激だけであって、凝りや疲れを治癒する上で多面的でないという課題がある。
【０００５】
本考案は上記した従来の足裏マッサージ器が有する課題を解決し、電気を使用せず安価であり、しかも機械的刺激に加え、治癒効果の高い波動学的刺激も加えてマッサージ効果を高めたテラヘルツ足裏マッサージ器を提供することを目的とするものである。
【課題を解決するための手段】
【０００６】
上記課題を解決するための本考案の構成を詳述すれば、請求項１に係る考案は、足裏をマッサージする球体と、当該球体を載置する台座とからなり、前記球体は金属シリコンを含有し、前記台座は前記球体を移動可能に載置するための球体受け部を設けると共に、当該球体受け部の底面に複数の凸部を形成したことを特徴とするテラヘルツ足裏マッサージ器である。
【考案の効果】
【０００７】
上述のように、本考案に係るテラヘルツ足裏マッサージ器によれば、足裏は、球体が球体受け部の凸部上を移動することによって生じる微妙かつ継続的な振動刺激を受けることとなる。また、球体は足裏で容易に移動させることができるので、使用者の努力を強いることがない。
【０００８】
さらに、金属シリコンを含有する球体の全面から発生するテラヘルツ波による刺激が加わる。テラヘルツ波は、生体に多様の治療効果をもたらすことが知られており、機械的刺激及びテラヘルツ波による刺激によって、より足裏マッサージ効果が向上する。
【図面の簡単な説明】
【０００９】
【図１】本考案に係るテラヘルツ足裏マッサージ器の第１の実施形態における外観図であり、図１（ａ）は平面図、図１（ｂ）は側面図である。
【図２】本考案に係るテラヘルツ足裏マッサージ器の第２の実施形態における外観図であり、図２（ａ）は平面図、図２（ｂ）は側面図である。
【図３】本考案によるテラヘルツ足裏マッサージ器の第１の実施形態の使用例を示す外観図である。
【考案を実施するための形態】
【００１０】
以下、図１〜図３を用いて本考案に係るテラヘルツ足裏マッサージ器の第１および第２の実施形態を詳述する。
【００１１】
［第１の実施形態］
図１を用いて、第１の実施形態におけるテラヘルツ足裏マッサージ器１の構造を説明する。
図１は本考案のテラヘルツ足裏マッサージ器の第１の実施形態を示し、図１（ａ）は平面図、図１（ｂ）は側面図である。
【００１２】
［第１の実施形態の構造］
図１（ａ）において、第１の実施形態におけるテラヘルツ足裏マッサージ器１は、球体２と台座３と滑り止めゴム５とから構成される。
【００１３】
球体２は、酸化シリコンを還元し高純度のシリコンに精製したいわゆる金属シリコンを含有し、または金属シリコンで形成され、大きさはピンポン球から野球のボール程度であり、この球体２の表面上に足裏を乗せる。
【００１４】
台座３は、成形の比較的容易な汎用のプラスチックを材料としほぼ矩形状に形成され、球体２を移動可能に載置するための球体受け部３２を設けている。
【００１５】
球体受け部３２には、三角屋根状に形成された凸部３１が連続して設けられている。球体受け部３２は球体２が台座３上から簡単に脱落しない様に台座３に「くぼみ」を形成している。
【００１６】
なお、球体受け部３２に設けられた凸部３１の突起形状は、円錐状あるいは円柱状ないし角柱状であっても良い。
【００１７】
球体受け部３２の底面に付設する滑り止めゴム５は、使用者が球体２の上で足を動かした際に、台座３が床面を横滑りして使い勝手が悪くならないように設けられている。
【００１８】
［第１の実施形態の動作］
図３を用いて、第１の実施形態におけるテラヘルツ足裏マッサージ器１の動作を説明する。図３に示すように、使用者は床６の上に置いたテラヘルツ足裏マッサージ器１を構成する球体２の表面上に足裏を乗せ、乗せた足裏を前後に動かして足裏をマッサージする。球体受け部３２に形成された凸部３１によって球体２が移動すると凸部３１の突起間隔ないし突起高さに応じて球体２が上下に振動し足裏を刺激する。また、球体２に含まれる金属シリコンから発生するテラヘルツ波が、足裏に作用する。
【００１９】
［第１の実施形態の効果］
図３を用いて、第１の実施形態におけるテラヘルツ足裏マッサージ器１の効果を説明すれば、テラヘルツ足裏マッサージ器１においては、球体２に足裏を乗せて足を前後に動かすことによって、球体との刺激に加えて球体２が上下振動することによる微細刺激が足裏に加わり、さらに生体に様々な効能効果を及ぼすといわれているテラヘルツ波による刺激がさらに加わるので足裏マッサージ効果がこれまで以上に上がる。
【００２０】
［第２の実施形態］
次に、図２を用いて、第２の実施形態におけるテラヘルツ足裏マッサージ器１０の構造を説明する。
図２は本考案のテラヘルツ足裏マッサージ器の第２の実施形態を示し、図２（ａ）は平面図、図２（ｂ）は側面図である。
【００２１】
［第２の実施形態の構造］
この第２の実施形態は前記第１の実施形態と比べ、台座４の形状が異なることと、球体２の転動範囲が前後左右に広がりを持つようになしたこと、の２点が異なっている。
図２（ａ）において、第２の実施形態におけるテラヘルツ足裏マッサージ器１０は、球体２と台座４と滑り止めゴム５とから構成される。
【００２２】
構成要素のうち球体２は、前記第１の実施形態における球体と同様なので重複する説明は省略する。
【００２３】
台座４は、成形の比較的容易な汎用のプラスチックを材料として楕円状に形成され、球体２を左右前後に移動可能に載置するため、球体２の直径の数倍の寸法の短長径を持つ楕円形状の球体受け部４２を設けている。
【００２４】
球体受け部４２には、図示するように円柱状の凸部４１が多数設けられている。球体受け部４２は球体２が台座４上から簡単に脱落しないように、台座４の内側に面状の「くぼみ」を形成している。
【００２５】
球体受け部４２に突成する凸部４１の突起形状は、実施例の円柱状以外にも、円錐状あるいは角柱状ないし三角屋根状であっても良い。
なお、滑り止めゴム５は、前記第１の実施形態と同様なので重複する説明は省略する。
【００２６】
［第２の実施形態の動作］
使用者は足裏を球体２の上に乗せ、乗せた足裏を前後左右に動かして足裏をマッサージする。球体受け部４２に形成された凸部４１によって球体２が転動すると凸部４１の突起間隔ないし突起高さに応じて球体２が上下に振動し足裏を刺激する。なお、その他の動作については前記第１の実施形態と同様なので重複する説明は省略する。
【００２７】
［第２の実施形態の効果］
テラヘルツ足裏マッサージ器１０においては、球体２に足裏を乗せて足を前後左右に自由に動かすことによって、球体２の動きが前後左右に複雑化し球体２の上下振動がさらに多様化するので足裏に加わる刺激が多彩化する。さらに、金属シリコンを含有した球体２から生ずるテラヘルツ波による刺激が前後左右上下の動きに重畳して加わるので足裏マッサージ効果がさらに上がるものである。
【００２８】
なお、以上の実施例で台座３または台座４の材料をプラスチックとしたが、別の例えば金属や陶磁器などを用いても実現可能である。また球体２の表面にも凹凸を設けても良いのは云うまでもない。
【符号の説明】
【００２９】
１、１０：テラヘルツ足裏マッサージ器
２：球体
３、４：台座
３１、４１：凸部
３２、４２：球体受け部
５：滑り止めゴム
６：床
【図１】
0003178743.tif 000003
【図２】
0003178743.tif 000004
【図３】
0003178743.tif 000005